(57)【要約】      （修正有）【課題】複数の管理装置の中から一台を親管理装置と定め、親管理装置に搬送装置に設定されている回線構成データが記憶されるようにした管理システムを提供する。【解決手段】複数の管理装置のうち、いずれか一台を親管理装置２ａとして構成データ管理機能を設け、その他の管理装置を子管理装置２ｂとする。構成データ整合機能が、親管理装置２ａに記憶された回線構成データ３１と搬送装置１２に設定されている回線構成データ３２′とが不一致であることを検出すると、子管理装置２ｂに記憶されている回線構成データ３１，３１′と搬送装置１２に設定されている回線構成データ３２′とが一致するか否かを収集し、収集された状態から回線構成データ３２′を搬送装置１２に設定した子管理装置２ｂを判定し、判定された子管理装置２ｂに記憶されている回線構成データ３１′を取得し、取得した回線構成データ３１′を親管理装置２ａに記憶する。【選択図】図３
2008085891.tif 000002
【特許請求の範囲】
【請求項１】
基幹ネットワークと、
前記基幹ネットワークに設けられた複数の搬送装置と、
前記搬送装置毎に設けられ、前記搬送装置に設定される回線構成データを記憶し、前記回線構成データを前記搬送装置に設定し、且つ、前記搬送装置に設定されている前記回線構成データの状態を監視する複数の管理装置とから構成され、
全ての前記搬送装置が同一の前記回線構成データを有し、
いずれかの前記搬送装置に前記回線構成データが設定されたときに、該搬送装置がその他の前記搬送装置に設定された前記回線構成データを転送して設定するように構成された通信ネットワークにおいて、
複数の前記管理装置のうち、いずれか一台を親管理装置として構成データ整合手段を設けるとともに、その他の前記管理装置を子管理装置とし、
前記構成データ整合手段が、
前記親管理装置に記憶された前記回線構成データと前記搬送装置に設定されている前記回線構成データとが不一致であることを検出する機能、
前記子管理装置に記憶されている前記回線構成データと前記搬送装置に設定されている前記回線構成データとが一致するか否かの状態を収集する機能、
収集された前記状態から前記回線構成データを前記搬送装置に設定した前記子管理装置を判定する機能、
判定された前記子管理装置に記憶されている前記回線構成データを取得する機能、および、
取得した前記回線構成データを前記親管理装置に記憶する機能を有して構成されるネットワーク管理システム。
【発明の詳細な説明】
【技術分野】
【０００１】
本発明は、基幹ネットワークに設けられている搬送装置を管理するネットワーク管理システムに関し、特に詳細には、複数の搬送装置の各々に設けられている管理装置の間で回線構成データの整合を確保するネットワーク管理システムに関する。
【背景技術】
【０００２】
通信ネットワークを構成するために各拠点に設置する搬送装置には、全ての装置で同一の回線設定データ（回線構成データ）を保有しなければならないものがある。この搬送装置には管理装置（コンソールＰＣ）が接続され、回線構成データはこの管理装置で作成され、その作成データが管理装置から搬送装置に設定されることで、通信ネットワークが構成される。このとき、回線構成データが設定された搬送装置は、通信ネットワークを構成する他の搬送装置に対して、回線構成データを転送し、回線構成データの転送を受けた搬送装置は、そのデータを設定する（例えば、特許文献１参照）。
【０００３】
【特許文献１】特開平１１−３３１２７０号公報
【発明の開示】
【発明が解決しようとする課題】
【０００４】
しかしながら、このような通信ネットワークにおいて、いずれかの管理装置で回線構成データの設定を搬送装置に行うと、上述のようにその設定が全ての搬送装置に反映されることになるが、そうすると、他の管理装置からはどの管理装置で設定を行ったかを把握することができなくなり、現在搬送装置に設定される回線構成データの内容を知ることができなくなるという課題がある。
【０００５】
本発明はこのような課題に鑑みてなされたものであり、複数の管理装置の中から一台を親管理装置と定め、その親管理装置に現在搬送装置に設定されている回線構成データが記憶されるようにしたネットワーク管理システムを提供することを目的とする。
【課題を解決するための手段】
【０００６】
前記課題を解決するために、本発明に係るネットワーク管理システムは、基幹ネットワークと、この基幹ネットワークに設けられた複数の搬送装置と、この搬送装置毎に設けられ、搬送装置に設定される回線構成データを記憶し、この回線構成データを搬送装置に設定し、且つ、搬送装置に設定されている回線構成データの状態を監視する複数の管理装置とから構成され、全ての搬送装置が同一の回線構成データを有し、いずれかの搬送装置に回線構成データが設定されたときに、該搬送装置がその他の搬送装置に設定された回線構成データを転送して設定するように構成された通信ネットワークに用いられるものである。このネットワーク管理システムにおいては、複数の管理装置のうち、いずれか一台を親管理装置として構成データ管理手段（例えば、実施形態における構成データ管理機能２２）を設けるとともに、その他の管理装置を子管理装置とする。そして、構成データ整合手段が、親管理装置に記憶された回線構成データと搬送装置に設定されている回線構成データとが不一致であることを検出する機能、子管理装置に記憶されている回線構成データと搬送装置に設定されている回線構成データとが一致するか否かの状態を収集する機能、収集された状態から回線構成データを搬送装置に設定した子管理装置を判定する機能、判定された子管理装置に記憶されている回線構成データを取得する機能、および、取得した回線構成データを親管理装置に記憶する機能を有して構成される。
【発明の効果】
【０００７】
本発明に係るネットワーク管理システムを以上のように構成すると、親管理装置で管理されている回線構成データを搬送装置に設定されているものと一致させることができるため、これにより、この通信ネットワークの管理者は、親管理装置の回線構成データを確認することで、現在搬送装置に設定されている正しい回線構成データを利用することができる。
【発明を実施するための最良の形態】
【０００８】
以下、本発明の好ましい実施形態について図面を参照して説明する。まず、図１〜図３を用いて本発明に係るネットワーク管理システム１の構成について説明する。このネットワーク管理システム１が適用される通信ネットワークは、複数の管理区域（拠点）を跨いで配置され、ループ状に構成された基幹ネットワーク（光ネットワーク）１０、複数の管理区域毎に設けられたＩＰネットワーク１１、および、このＩＰネットワーク１１毎に設けられ、基幹ネットワーク１０とＩＰネットワーク１１とを接続する搬送装置１２から構成される。
【０００９】
なお、搬送装置１２は、光多重装置とも呼ばれ、基幹ネットワーク１０における搬送装置１２間の経路を示す回線構成データ３２が設定されており、この回線構成データ３２にしたがって、データ伝送の制御が行われる。この図１に示すネットワーク構成は、基幹ネットワーク１０がループ状に構成されているため、全ての搬送装置１２は、同一の回線構成データ３２が設定される。具体的には、いずれか一台の搬送装置１２に回線構成データ３２を設定すると、その搬送装置１２が基幹ネットワーク１０を介して他の搬送装置１２に回線構成データ３２を送信（転送）して、ネットワーク全体として同一の回線構成データ３２が全ての搬送装置１２に自動的に設定されるように構成されている。
【００１０】
搬送装置１２の各々に対しては、この搬送装置１２を管理するための管理装置２が設けられており、これらの管理装置２は、各々の管理区域のＩＰネットワーク１１に接続されている。なお、本実施例においては、複数の管理装置２のうちのいずれか一台（本実施例においては管理区域Ａに設置された管理装置２）を親管理装置（以下、「親管理装置２ａ」と呼ぶ）とし、残りの管理装置２を子管理装置（以下、「子管理装置２ｂ」と呼ぶ）として用いている。図２に示すように、親管理装置２ａおよび子管理装置２ｂは、いずれも管理機能２１を有している。この管理機能２１は、構成データベース３（３ａ，３ｂ）に格納された回線構成データ３１を搬送装置１２に設定する（回線構成データ３２として設定する）機能、および、搬送装置１２に設定されている回線構成データ３２と構成データベース３（３ａ，３ｂ）に格納されている回線構成データ３１とを比較して、それらが一致しない場合に、コンソール４（４ａ，４ｂ）に警告を表示する機能とを備えている。
【００１１】
ここで、図３に示すように、管理区域Ｄの子管理装置２ｂにおいて、新たな回線構成データ３１′を作成し、これを搬送装置１２に新たな回線構成データ３２′として設定すると、搬送装置１２間で通信を行いこの新たな回線構成データ３２′が全ての搬送装置１２に設定される。すると、上述のように管理区域Ｄ以外においては、搬送装置１２に設定されている回線構成データ３２′と構成データベース３ａ，３ｂに格納されている回線構成データ３１とが一致しなくなり、これらの管理区域においては、管理機能２１によりコンソール４ａ，４ｂに警告が表示される。このとき、回線構成データ３２′を設定した管理区域Ｄ以外においては、他の管理区域に問い合わせてどこで設定変更を行ったかを調べない限り、どの管理装置２（２ａ，２ｂ）に正しい回線構成データが格納されているかを知ることができなくなってしまう。本実施例においては、管理装置２から搬送装置１２に回線構成データ３１を送信して設定することは可能であるが、セキュリティ等の関係上、この搬送装置１２に設定されている回線構成データ３２そのものを読み出すことはできないように構成されている。
【００１２】
そこで、本実施例においては、上述の親管理装置２ａの構成データベース３ａに格納されている回線構成データ３１を通信ネットワーク１全体の基準となるデータとし、子管理装置２ｂのいずれかで回線構成データ３１の更新を行ったときは、常に親管理装置２ａの構成データベース３ａの内容を更新するように構成されている。以下、回線構成データ３１の管理について図４〜図６を加えて説明する。
【００１３】
上述のように、親管理装置２ａの管理機能２１は、この親管理装置２ａが管理する搬送装置１２に設定されている回線構成データ３２と構成データベース３ａに記憶されている回線構成データ３１とを比較して一致しないと判断すると、コンソール４ａに警報を表示するように構成されている。そこで、本実施例においては、親管理装置２ａに構成データ整合機能２２を設け、管理機能２１が警報を表示するのを検出して構成データベース３ａに記憶されている回線構成データ３１を現在搬送装置１２に設定されているもの（すなわち、３１′）に更新する処理を行う。なお、この構成データ整合機能２２に対応して、子管理装置２ｂには、状態取得機能２３が設けられている。
【００１４】
親管理装置２ａの構成データ整合機能２２は、管理機能２１から回線構成データの不一致が発生したことを検出すると（ステップＳ１００）、ＩＰネットワーク１１を介して、全ての子管理装置２ｂの状態取得機能２３と通信を行いそれぞれの管理機能２１の状態、すなわち、回線構成データ３１の不一致が発生しているか否かを収集する（ステップＳ１１０）。例えば、図５に示すテーブル４０のように、各管理装置２ａ，２ｂの状態を収集する。このテーブル４０においては、回線構成データが一致しているときを「１」で表し、不一致のときを「０」で表しており、管理区域Ｄ以外は「０」となっている。次に、構成データ整合機能２２は、このテーブル４０に基づいて、回線構成データを変更した子構成管理装置２ｂを判定する（ステップＳ１２０）。この場合、管理区域Ｄが「１」となっているため、この管理区域Ｄに設置された子管理装置２ｂが回線構成データ３２′の変更を行ったと判断する。そして、構成データ整合機能２２は、管理区域Ｄに設置された子管理装置２ｂの状態取得機能２３と通信を行い、図６に示すように、この子管理装置２ｂの構成データベース３ｂから回線構成データ３１′を取得し（ステップＳ１３０）、そのデータにより親管理装置２ａの構成データベース３ａを更新する（ステップＳ１４０）。
【００１５】
以上のように、親管理装置２ａに設けられた構成データ整合機能２２により、管理機能２１が、回線構成データ３１が不一致であると判断したことを検出し、これをトリガーとして全ての子管理装置２ｂから回線構成データが一致している装置を探しだしてこの装置に記憶されている回線構成データ３１′を取得することにより、親管理装置２ａで管理されている回線構成データ３１を搬送装置１２に設定されているものと一致させる（すなわち、回線構成データ３１′に更新する）ことができる。これにより、この通信ネットワーク１の管理者は、親管理装置２ａの回線構成データ３１（３１′）により、現在搬送装置１２に設定されている正しい回線構成データ３１′を利用することができる。
【００１６】
なお、以上の実施例においては、管理装置２（２ｂ）で回線構成データ３１′を作成し、それを搬送装置１２に回線構成データ３２′として設定した管理装置２ｂだけが、状態として「１」となる場合について説明したが、例えば、搬送装置１２に異常が発生し、他の搬送装置１２から送信された回線構成データ３２′を更新できなかった場合にも状態は「１」となる可能性がある。そのため、このような場合に対応するために、構成データ整合機能２２が状態取得機能２３から状態を取得するときに、例えば、搬送装置１２の状態（正常に動作しているか、異常であるか）を一緒に取得し、変更区域の判定（ステップＳ１２０）において、正常に動作している搬送装置１２の状態を用いるように構成することも可能である。また、親管理装置２ａと子管理装置２ｂとの状態の取得や回線構成データの送受信は、子管理装置２ｂ側に状態取得機能２３を設けていたが、例えば、リモートプロシジャコール等を用いて、親管理装置２ａの構成データ整合機能２２から直接子管理装置２ｂの状態や回線構成データ３１′を取得するように構成することも可能である。
【００１７】
さらに、以上の実施例においては、親管理装置２ａと子管理装置２ｂとの通信を、搬送装置１２を介してＩＰネットワーク１１により行う場合について説明した。これにより、基幹ネットワーク１０に何らかの障害が発生して一部にデータ伝送ができない区間が存在していたとしても、親管理装置２ａに管理されている回線構成データ３１（３１′）は常に、正しいデータとして管理することができる。また、これらの管理装置２間を、搬送装置１２を介して基幹ネットワーク１０により通信を行うように構成することも可能である。また、基幹ネットワーク１０を二重構成としても同様である。
【図面の簡単な説明】
【００１８】
【図１】本発明に係るネットワーク管理システムの構成を示すブロック図である。
【図２】親管理装置と子管理装置の構成を示すブロック図である。
【図３】搬送装置に回線構成データを設定したときのデータの流れを示す説明図である。
【図４】親管理装置における構成データ整合機能の処理の流れを示すフローチャートである。
【図５】上記構成データ整合機能において、子管理装置の状態を収集するときのデータの流れを示す説明図である。
【図６】上記構成データ整合機能において、子管理装置から回線構成データを取得して親管理装置に記憶させるときのデータの流れを示す説明図である。
【符号の説明】
【００１９】
１  ネットワーク管理システム
２  管理装置
２ａ  親管理装置
２ｂ  子管理装置
１０  基幹ネットワーク
１２  搬送装置
２２  構成データ整合機能（構成データ整合手段）
３１，３２  回線構成データ
【図１】
2008085891.tif 000003
【図２】
2008085891.tif 000004
【図３】
2008085891.tif 000005
【図４】
2008085891.tif 000006
【図５】
2008085891.tif 000007
【図６】
2008085891.tif 000008